(57)【要約】【課題】  本来の軒樋による排水能力を維持し、脱着方法がシンプルで、且つ適度の装着（嵌合）強度を有した軒樋の保護部材を提供すること。【解決手段】  断面略Ｕ字状の軒樋２の上方開口に被せられ、落ち葉、小枝、その他のゴミが軒樋２の流路へ侵入することを阻止可能に雨水を通過させる網目を有するネット状シート６と、このシートに別体に設けられ、軒樋２の両側上縁部分に脱着可能に嵌合させる嵌合部７とからなる軒樋２の保護部材３。【選択図】  図２
0003102392.tif 000002
【実用新案登録請求の範囲】
【請求項１】
断面略Ｕ字状の軒樋の上方開口に被せられ、有体物の通過を阻止できるが、雨水は通過できる多数の孔を有する保護シート部と、
この保護シート部に一体または別体に設けられ、軒樋の両側上縁部分に脱着可能に嵌合させる嵌合部と
からなる軒樋の保護部材。
【請求項２】
嵌合部が、保護シート部の両側縁部分自体をそれぞれ屈曲させて形成されるか、該両側縁部分にそれぞれ一体に付着させて形成された一対の嵌合凹部である請求項１に記載の軒樋の保護部材。
【請求項３】
嵌合部が、軒樋の両側上縁部分に橋渡しされる金具と、この金具の橋渡しの両端部分に形成され、軒樋の両側上縁部分にそれぞれ嵌合させる一対の嵌合凹部と、前記金具に保護シート部を固定するために、その保護シート部の一部の孔を介して締め付ける少なくとも一つの締結具とからなる請求項１に記載の軒樋の保護部材。
【請求項４】
保護シート部が、ネット状シートまたは多数の孔を穿設した多孔シートである請求項１〜３のいずれか一つに記載の軒樋の保護部材。
【請求項５】
保護シート部がネット状シートであり、このネット状シートが押出し成形法により一体に成形された硬質熱可塑性樹脂製ネットで構成されてなる請求項４に記載の軒樋の保護部材。
【請求項６】
ネットを構成する各ストランドの幅：０．５〜１０ｍｍ、隣接するストランドの中心間距離：３〜３０ｍｍである請求項５に記載の軒樋の保護部材。
【請求項７】
保護シート部が多孔シートであり、この多孔シートがその各孔を直径：２〜３０ｍｍφの丸孔、または一辺：１〜３０ｍｍの角孔とする請求項４に記載の軒樋の保護部材。
【請求項８】
保護シート部が、略アーチ状である請求項１〜７のいずれか一つに記載された軒樋の保護部材。
【請求項９】
保護シート部が略アーチ状であり、金具も前記保護シート部に沿う略アーチ状である請求項３〜７のいずれか一つに記載された軒樋の保護部材。
【請求項１０】
断面略Ｕ字状の軒樋と、
この軒樋の上方開口に被せられ、有体物の通過を阻止できるが、雨水は通過できる多数の孔を有する保護シート部と、この保護シート部に一体または別体に設けられ、軒樋の両側上縁部分に脱着可能に嵌合させた嵌合部とからなる軒樋の保護部材と
を備えた軒樋構造。
【請求項１１】
嵌合部が保護シート部の両側縁部分自体をそれぞれ屈曲させて形成されるか、該両側縁部分にそれぞれ一体に付着させて形成された一対の嵌合凹部である請求項１０に記載の軒樋構造。
【請求項１２】
嵌合部が、軒樋の両側上縁部分に橋渡しされる金具と、この金具の橋渡しの両端部分に形成され、軒樋の両側上縁部分にそれぞれ嵌合させる一対の嵌合凹部と、前記金具に保護シート部を固定するために、その保護シート部の一部の孔を介して締め付ける少なくとも一つの締結具とからなる請求項１０に記載の軒樋構造。
【請求項１３】
軒樋が、その両側上縁部分をロール処理して形成され、一対の嵌合凹部にそれぞれ嵌合した一対の凸条部を有する請求項１１または１２に記載の軒樋構造。
【考案の詳細な説明】
【技術分野】
【０００１】
本考案は、軒樋の保護部材及びそれを使用した軒樋構造に関し、さらに詳しくは、建築物の屋根と梁材との間に取り付けられる断面略Ｕ字状の軒樋の上方開口に被せられ、該軒樋の流路を保護する保護部材（保護材）とそれを使用した軒樋構造に関する。
【背景技術】
【０００２】
従来、軒樋は屋根から流入する雨水（氷雪水を含む）の流路として多く使用されている。美観の問題から大きさ、形状は進化しているものの数年後には流路に侵入する落ち葉、ゴミ、ほこりなどの堆積により本来有している水を排出する能力が大幅にダウンする、或いは軒樋から水が溢れ屋根の下へ落ちると言った現象に悩まされてきた。その都度、軒樋の侵入物を取り除くのに多大な労力を費やしてきたのが現実である。
【０００３】
これに対して、網状のシート、パイプ等で軒樋の開口部に蓋をするなどの策を実施するものの、必ずしも軒樋の構造と融合されているとは言えない。これはあくまでも簡易的な対策に止まっている。軒樋と保護部材の脱着作業性と氷雪の重量による軒樋の破損、いわゆる耐久性の問題があった。
【０００４】
具体的には、保護部材は、既存の軒樋の開口部に落とし込むだけで、明確な固定方法が無く、風により脱落するケ−スが見られる。また雪国特有の問題として屋根上で氷雪が解け、ブロック状の塊で軒樋へ滑り落ちて流路を完全に塞いでしまうだけではなく、その重量で軒樋が破損するおそれがあった。
【考案の開示】
【考案が解決しようとする課題】
【０００５】
そこで、本考案の主要な目的の一つは、本来の軒樋による排水能力を維持し、脱着方法がシンプルで、且つ適度の装着（嵌合）強度を有した軒樋の保護部材を提供することである。
本考案のもう一つの目的は、氷雪などの重量物、長期残留する落ち葉、小枝などの侵入を阻止可能で、軒樋の破損を防止できる強靭な軒樋の保護部材を提供することである。
さらには、それらの保護部材と軒樋とを組み合わせた軒樋構造を提供することである。
【課題を解決するための手段】
【０００６】
本考案は、断面略Ｕ字状の軒樋の上方開口に被せられ、有体物の通過を阻止できるが、雨水は通過できる多数の孔を有する保護シート部と、この保護シート部に一体または別体に設けられ、軒樋の両側上縁部分に脱着可能に嵌合させる嵌合部とからなる軒樋の保護部材を提供する。
【考案の効果】
【０００７】
本考案によれば、有体物、つまりゴミが軒樋の流路に侵入するのを阻止できる保護シート部に、一体または別体に、軒樋の両側上縁部分に脱着可能に嵌合させる嵌合部を設けることによって、保護部材の構成および脱着方法をシンプルにしながら、適度の装着（嵌合）強度を持たせることができ、本来の排水能力を長期にわたり維持できる。
【考案を実施するための最良の形態】
【０００８】
本考案に係る軒樋の保護部材は、保護シート部に、一体または別体に、軒樋の両側上縁部分に脱着可能に嵌合させる嵌合部を備えたことを特徴とする。
【０００９】
本考案において、保護シートは、有体物の通過を阻止できるが、雨水は通過できる多数の孔を有する。
ここで、有体物とは、軒樋の流路に侵入すると、流路で雨水がスムースに流れないなどの支障がでるような、落ち葉、小枝、その他のゴミであり、その他のゴミには、建物の破片、小動物、昆虫なども含まれる。
【００１０】
具体的に好ましい保護シート部としては、ネット状シートまたは多数の孔を穿設した多孔シートが挙げられる。
保護シート部をネット状シートとした場合、このネット状シートを、押出し成形法により一体に成形された硬質熱可塑性樹脂製ネットで構成するのが好ましい。
【００１１】
ここで、ネット状シートの多数の孔の大きさ、つまりネットの網目は、例えば、各ストランドの幅：２〜３ｍｍ、隣接するストランドの中心間距離：１０〜１５ｍｍで好適に構成できる。
【００１２】
なお、網目の種類は、現在のネット製造技術において菱型、亀甲型、格子型などいくつかあるが、いずれも最近の技術ではその大きさを任意に変化させることが可能である。但し、立体的な構造体、不織布、その他の透水性の材料で同様な効果が期待できるため限定するものではない。
【００１３】
また、保護シート部の開口部分の大きさを一定とした上で、不織布や織物などを重ね合わせて所望の多数の孔を形成しても良い。さらに両者の組み合わせを自由に変更して、所望の多数の孔を形成してもよい。
【００１４】
保護シート部が多孔シートである場合には、各孔を直径：１〜３０ｍｍφの丸孔、または一辺：１〜３０ｍｍの角孔で、孔の占有率を全体の６０〜９０％に構成するのが好ましい。
多孔シートは、押出し成形法により成形された硬質熱可塑性樹脂製シートに丸孔、または角孔を打抜いて形成するか、射出成形法により成形することができる。
【００１５】
なお、保護シート部は、略アーチ状（上方に向かって凸状）であれば、落ち葉、小枝などのゴミが被さっても落としやすく重さに耐える強度も大きい。この場合の保護シート部は、軒樋の幅の１．２〜２．０倍程度の平らなシートをアーチ状にして用いるのが好ましい。
そして、保護シート部がこのように略アーチ状であり、金具も保護シート部に沿う略アーチ状であれば、さらに強度が大きくなる。
【００１６】
本考案において、これらの保護シート部は、断面略Ｕ字状の軒樋の上方開口に被せられるが、この際、保護シート部には、一体にまたは別体に、軒樋の両側上縁部分に脱着可能に嵌合させる嵌合部が形成されている。
この嵌合部は、具体的には、保護シート部の両側縁部自体を屈曲させて形成される嵌合凹部とするか、該両側縁部に一体に付着して形成された一対の嵌合凹部とされるのが好ましい。
【００１７】
また、嵌合部は、軒樋の両側上縁部分に橋渡しされる金具と、この金具の橋渡しの両端部分に形成され、軒樋の両側上縁部分にそれぞれ嵌合させる一対の嵌合凹部と、前記金具に保護ネット部を固定するために、その保護ネット部の一部の孔を介して締め付ける少なくとも一つの締結具とで構成してもよい。
【００１８】
本考案は、別の観点によれば、（１）断面略Ｕ字状の軒樋と、
（２）この軒樋の上方開口に被せられ、有体物の通過を阻止できるが、雨水は通過できる多数の孔を有する保護シート部と、この保護シート部に一体または別体に設けられ、軒樋の両側上縁部分に脱着可能に嵌合させた嵌合部とからなる軒樋の保護部材と
を備えた軒樋構造を提供できる。
【００１９】
以下、図に示す実施の形態に基づいて本考案を詳述する。なお、これによって本考案が限定されるものではない。
【００２０】
〔実施の形態１〕
図１は本考案に係る軒樋の保護部材の実施の形態１の使用状態を示す概略説明断面図、図２は図１の概略説明分解斜視図である。
図１および２において、軒樋構造１は、建築物の屋根と梁材との間に取り付けられる軒樋２と、この軒樋に装着された保護部材３とからなり、軒樋２は、硬質塩化ビニル樹脂で被覆した亜鉛鋼板を断面略Ｕ字状に折り曲げて構成され、その両側上縁部分をロール処理して一対の凸条部４，５を形成している。
【００２１】
保護部材３は、軒樋２の上方開口に被せられた保護シート部としてのアーチ状のネット状シート６と、このネット状シートに別体に設けられた嵌合部７とからなる。
この嵌合部７は、軒樋２の両側上縁部に橋渡しされ、この橋渡しの両端部分に一対の嵌合凹部８，９を備えたアーチ状の金具１０と、この金具にネット状シート６を締め付け、装着する締結具としてのネジ１１とからなる。
【００２２】
ここで、金具１０は、その一対の嵌合凹部８，９を軒樋２の凸条部４，５に嵌合させて軒樋２に取り付け、金具１０にネット状シート６をその一部の網目を介してネジ１１で締め付け、装着する。
【００２３】
ネット状シート６は、押出し成形法により一体に成形された硬質可塑性樹脂（ポリエチレン樹脂）製ネットで構成され、網目を構成する各ストランドの太さは平均２ｍｍ、隣接するストランドの中心間距離は平均１５ｍｍである。
なお、ネジ１１は一つであるが、これを二つにし、適宜間隔をあけて使用してもよい。
【００２４】
以上のごとく、保護部材３は、有体物、つまり落ち葉、小枝、その他のゴミが軒樋２の流路に侵入するのを阻止できる保護シート部としてのネット状シート６に、別体に、軒樋２の両側上縁部分に脱着可能に嵌合させる嵌合部７を設けることによって、保護部材３の構成および脱着方法をシンプルにしながら、適度の装着（嵌合）強度を持たせることができ、本来の排水能力を長期にわたり維持できる。
【００２５】
〔実施の形態２〕
図３は、本考案に係る保護部材の実施の形態２を示す図１相当図である。
図３において、軒樋構造２１は、軒樋２２と、この軒樋に装着された保護部材２３とからなり、軒樋２２は、硬質塩化ビニル樹脂で被覆した亜鉛鋼板を断面略Ｕ字状に折り曲げて構成され、その両側上縁部分をロール処理して一対の凸条部２４，２５を形成している。
【００２６】
保護部材２３は、軒樋２２の上方開口に被せられた保護シート部としてのアーチ状のネット状シート２６と、このネット状シートに一体に設けられた嵌合部２７とからなる。そして、この嵌合部２７が、ネット状シート２６の両側縁部分自体をそれぞれ屈曲させて形成された一対の嵌合凹部２８，２９であり、軒樋２２の一対の凸条部２４，２５に嵌合されて、ネット状シート２６を軒樋２２に装着する。
【００２７】
ネット状シート６は、押出し成形法により一体に成形された硬質熱可塑性樹脂（ポリエチレン樹脂）製ネットで構成され、網目を構成する各ストランドの太さは平均２ｍｍ、隣接するストランドの中心間距離は平均１３ｍｍである。
【００２８】
以上のごとく、保護部材２３は、有体物、つまり落ち葉、小枝、その他のゴミが軒樋２２の流路に侵入するのを阻止できる保護シート部としてのネット状シート２６に、一体に、軒樋２２の両側上縁部分に脱着可能に嵌合させる嵌合部２７を設けることによって、保護部材２３の構成および脱着方法をシンプルにしながら、適度の装着（嵌合）強度を持たせることができ、本来の排水能力を長期にわたり維持できる。
【図面の簡単な説明】
【００２９】
【図１】本考案に係る軒樋の保護部材の実施の形態１の使用状態を示す概略説明断面図である。
【図２】図１の概略説明分解斜視図である。
【図３】本考案に係る保護部材の実施の形態２を示す図１相当図である。
【符号の説明】
【００３０】
１      軒樋構造
２      軒樋
３      保護部材
４      凸条部
５      凸条部
６      ネット状シート（保護シート部）
７      嵌合部
８      嵌合凹部
９      嵌合凹部
１０    金具
１１    ネジ（締結具）
【図１】
0003102392.tif 000003
【図２】
0003102392.tif 000004
【図３】
0003102392.tif 000005